(57)【要約】【課題】従来の荷崩れ防止用シートは、荷姿に対して横捲きに長手形状のシート体を巻き付けて荷崩れを防止していた。【解決手段】本発明の荷崩れ防止用シートは、多角形状の天面部と、該天面部端部に接合される側面押さえ部と、該側面押さえ部先端に逢着される固定用ベルト部と、該ベルト部先端に固定される係止用フックとから構成され、天面部が１６角形となっているため、側面押さえ部を引っ張ると隙間を生ずる事なく積層した荷物を被覆保持できる新規な荷崩れ防止用シートを提供するものである。【選択図】図１
2004175425.tif 000002
【特許請求の範囲】
【請求項１】
載置台の上に積層された荷物が荷崩れや破損をしないように被覆保護してなる荷崩れ防止用シートにおいて、多角形状の天面部と、該天面部端部に連接する複数の側面押さえ部と、該側面押さえ部先端に逢着される固定用ベルト部と、該ベルト部先端に固定される係止用フックとから構成されることを特徴とする荷崩れ防止用シート。
【請求項２】
前記多角形状の天面部は、１６角形であり、必要において天面部中心に複数のテープ部を設けていることを特徴とする請求項１記載の荷崩れ防止用シート。
【請求項３】
前記側面押さえ部は、略三角形状であって上面中心部が空間形状であることを特徴とする請求項１記載の荷崩れ防止用シート。
【請求項４】
前記固定用ベルト部は、長さを調整するバックルを取り付けたベルト部であって、前記側面押さえ部先端に端部を逢着し、一方の他端に折り通しを設けて係止用フックを係止する事を特徴とする請求項１記載の荷崩れ防止用シート。
【請求項５】
載置台の上に積層された荷物が荷崩れや破損をしないように被覆保護してなる荷崩れ防止用シートにおいて、多角形状の天面部と、該天面部端部に連接する複数の側面押さえ部と、該側面押さえ部先端に逢着される固定用ベルト部と、該ベルト部先端に固定される係止用フックとから構成されたシートを、パレットに掛けて一体化を図ることを特徴とする荷崩れ防止用シート。
【発明の詳細な説明】
【０００１】
【発明の属する技術分野】
本発明は、載置台の上に積層された荷物やパレットが荷崩れや破損をしないように一体化するように被覆保護してなる荷崩れ防止用シートに関し、さらに詳しくは、天面部の外枠を１６角形からなる多角形状にし、さらに該天面部の端部に複数の側面押さえ部を設けることによって、たわみがなく上部から側面にかけて荷物を被覆できる新規な荷崩れ防止用シートである。
【０００２】
【従来技術】
従来、ダンボール等の荷崩れを防止する荷崩れ防止用シートは、荷姿に対して横捲きに長手形状のシート体を巻き付けて荷崩れを防止する事が主流であり、細長形状の伸縮性シート体であって、端部に雄用テープと雌用テープとを表裏につけて貼り合わせるタイプの荷崩れ防止用シートも知られている。
【０００３】
そのほか意匠第１１４０５７１号「荷崩れ防止用カバー」に示されるように、四角形状のシート体であって、このシート体の端部に複数の伸縮性のベルト部を設け、さらにそのベルト部の先端部にフックを設けているカバーが知られている。
【０００４】
この構造の荷崩れ防止用シートの場合、載置台の上に積層された荷物が荷崩れや破損をしないように被覆して、シートの端部を引っ張ってフックを載置台に係止するが、ベルト部で引っ張られた部分では荷物をしっかりと押さえる事ができるが、ベルト部とベルト部との間にはタワミが生じ、その箇所に荷物の端部があるとタワミ部から荷物が飛び出すこともあった。
【０００５】
【発明が解決しようとする課題】
いずれにしても上記従来型の荷崩れ防止用シートは、載置台に積層された荷物の量が多くなれば加重が係り、中心部から外側にむけて力が抜けていく傾向があり、このため荷物を上下、左右側面でタワミが生じない状態で荷物を押さえる事ができる新規なタイプの荷崩れ防止用シートの開発が求められていた。
【０００６】
【課題を解決するための手段】
本発明者は、係る課題を解決するために鋭意研究したところ積み重ねた荷物の上を被覆する天面部形状を従来の四角形状でなく、多角形、好ましくは１６角形にし、さらに複数の側面押さえ部を逢着固定する事によって積み重ねた荷物が上面からと、左右側面から被覆保護されて載置台から飛び出さないことを見いだし、本発明の荷崩れ防止用シートを提供することができた。
【０００７】
すなわち発明の第一は、載置台の上に積層された荷物が荷崩れや破損をしないように被覆保護してなる荷崩れ防止用シートにおいて、多角形状の天面部と、該天面部端部に連接する複数の側面押さえ部と、該側面押さえ部先端に逢着される固定用ベルト部と、該ベルト部先端に固定される係止用フックとから構成されることを特徴とする荷崩れ防止用シートである。
【０００８】
本発明の第二は、前記多角形状の天面部は、１６角形であり、必要において天面部中心部に複数のテープ部を設けていることを特徴とする請求項１記載の荷崩れ防止用シートである。
【０００９】
本発明の第三は、前記側面押さえ部は、略三角形状であって上面中心部が空間形状であることを特徴とする請求項１記載の荷崩れ防止用シートである。
【００１０】
本発明の第四は、前記固定用ベルト部は、長さを調整するバックルを取り付けたベルト部であって、前記側面押さえ部先端に端部を逢着し、一方の他端に折り通しを設けて係止用フックを係止する事を特徴とする請求項１記載の荷崩れ防止用シートである。
【００１１】
本発明の第五は、載置台の上に積層された荷物が荷崩れや破損をしないように被覆保護してなる荷崩れ防止用シートにおいて、多角形状の天面部と、該天面部端部に連接する複数の側面押さえ部と、該側面押さえ部先端に逢着される固定用ベルト部と、該ベルト部先端に固定される係止用フックとから構成されたシートを、パレットに掛けて一体化を図ることを特徴とする荷崩れ防止用シートである。
【００１２】
【発明の実施の形態】
図１は、本発明の実施に係る荷崩れ防止用シートの全体を示す平面図である。本件シート体１は、多角形状の天面部２と略三角形状の側面押さえ部３とベルト部４及び係止用フック６とから構成されている。
【００１３】
この場合、天面部２の形状は本実施例では一例として縦、横１３００ｍｍの大きさの１６角となるように端部を多角形状にし、さらに、これらの端部に横幅７８０ｍｍの略三角形状の側面押さえ部３を逢着固定している。この略三角形状の側面押さえ部３の上部の中心箇所は空間部５となるように切断されており、使用時には、図２に示すようにこの空間部５の間に積層された荷物の角が当たるようになり、固定が容易になる効果を有している。
【００１４】
なお、天面部２の大きさは、上記の１３００ｍｍ（Ｍサイズ）の他、パレット等の幅により合わせて決め、１５００ｍｍ（Ｌサイズ）等と分けて対応している。
【００１５】
上記天面部２の素材として、防水加工したナイロン製素材を用いたが、他にアクリル製、或いはデラクリア（冷凍用透明素材）を用いることができるほか、シート材料として使用されるものは当然に、本発明においても使用できるものである。
【００１６】
なお天面部には、面ファスナーからなるテープ部６を必要において逢着し、シート体をコンパクトに折り畳めるようにしている。
【００１７】
上記天面部２の二端部毎に、略三角形状の側面押さえ部３の端部を重ねて逢着すると、これらの中央部に縦２５０ｍｍ、横２８０ｍｍの空間部５が生ずる。このような側面押さえ部３を、本発明では４カ所設けたが、荷物の種類によっては天面部の角数を少なくして、逢着する側面押さえ部３を２ヶ所、或いは３ヶ所とすることは当然である。
【００１８】
この側面押さえ部に用いる素材は、載置台に積層した荷物やパレットをより強固に固定するために伸縮性と強度性とを兼ね備えたゴム材１３と天面部２と同じ素材である防水加工したナイロン製樹脂材１４（商品名ナイロンタフター）とを用いたが、この素材に代えて防水加工したアクリル樹脂材（商品名アクリルコート）、デラクリア（冷凍用透明素材）等の新素材を用いてもよい。
【００１９】
この場合、ゴム材１３は平面上の１枚からなる素材だけでなく、二ツ折りにして逢着してもよいし、またその形状も長短のいずれのサイズであっても用途に合わせて調整できるものである。
【００２０】
さらに前記側面押さえ部３の先端には、図３に示すように一例として幅６０ｍｍのベルト部４の端部が逢着され、このベルト部４にはベルト器具の両端部を該ベルト部の素材で逢着して、バックル９で長さ調整を可能にし、さらにベルト部の他端部を折り曲げて逢着固定して係止用フック１０を嵌合するようにしている。
【００２１】
この場合、側面押さえ部３の先端部に逢着したベルト部端部の上に面ファスナー（雌）１１を接着させ、一方、同様にベルト部の他端裏面にも面ファスナー（雄）１２を接着させた。
【００２２】
本発明の他の実施の形態として、天面部２と略三角形の側面押さえ部３とを別々に逢着するだけでなく、同じ素材で天面部２と略三角形の側面押さえ部３とを一体的に形成することもできる。
【００２３】
【発明の効果】
本発明の荷崩れ防止用シートは、天面部２を多角形状にすると共に、複数の側面押さえ部を逢着し、その側面押さえ部に空間部を設けることによって荷物の角を固定し、さらにシート全体を下方に引っ張った場合に、隙間を生じないために安定して荷物を被覆保護できる新規な荷崩れ防止用シートである。
【００２４】
本発明の荷崩れ防止用シートは、載置台上に積層したダンボール箱のみだけでなく、家電、車、パソコン、コピー機等の各パーツを入れるプラスチックケースの積層や、飲料物、食料品、印刷物、その他の製品をケースに入れて積み上げ、積層させた場合に安定して被覆保持できるものである。
【００２５】
さらに製造工場において、製品をパレットに積層させて、１トン以下の製品を物流や倉庫内での管理、或いは搬送時においても本発明の荷崩れ防止用シートは十分に使用できるものである。
【図面の簡単な説明】
【図１】本発明に係る荷崩れ防止用シートの使用例を示す斜視図である。
【図２】本発明に係る荷崩れ防止用シートの全体を示す平面図である。
【図３】図２におけるベルト部及び係止用フックの拡大図である。
【符号の説明】
１・・・シート本体
２・・・天面部
３・・・側面押さえ部
４・・・ベルト部
５・・・空間部
６・・・テープ部
７・・・載置台
８・・・荷物
９・・・バックル
１０・・係止用フック
１１・・面ファスナー（雌）
１２・・面ファスナー  （雄）
１３・・ゴム材
１４・・載置台引っかけ部
【図１】
2004175425.tif 000003
【図２】
2004175425.tif 000004
【図３】
2004175425.tif 000005